(57)【特許請求の範囲】
【請求項１】
整列状態に集積された集積紙葉類を整列集積状態のまま後段側へ搬送して結束部へ送り込み、この結束部で集積紙葉類の周囲にテープを巻き付けて結束し、結束済みの紙葉類束を送出して後段側へ送り出す紙葉類結束処理機であって、
整列集積された集積紙葉類を結束部に対向する位置から略水平姿勢で上下より挟持した状態で結束部へ送り込む搬送送り込み部と、
送り込まれた集積紙葉類の周囲にテープを巻回するテープ巻き付け手段と、結束済みの紙葉類束を後段側へ搬出する搬送手段とを有する結束部と
を備え、
前記結束部の搬送手段は、下流側を中心として上流側の端部が上下方向に揺動自在となることで開閉位置に位置づけ可能となり、前記搬送送り込み部により略水平姿勢の挟持状態で送り込まれる集積紙葉類を、前記上流側の端部が閉位置となることで略水平姿勢のまま上下より静止したベルト又はローラによって挟持して結束終了時まで略水平姿勢の挟持状態を維持するとともに、結束終了時に該ベルト又は該ローラを駆動して結束済みの紙葉類束を略水平姿勢のまま後段側へ搬出し、
前記搬送送り込み部は、集積紙葉類の挟持開始位置においてその集積紙葉類を挟持したあと移動を開始し、結束部に対向する位置においては集積紙葉類を略水平姿勢の挟持保持状態とするとともにその位置から集積紙葉類を略水平姿勢を保ちながら結束部まで移動させ、結束部の搬送手段が集積紙葉類を挟持したあと集積紙葉類の開放、挟持開始位置への復帰移動を行う上下一対の挟持部材を有し、
前記テープ巻き付け手段は、テープ先端をテープ挟持位置において挟持するとともに前記搬送送り込み部による集積紙葉類の送り込み前に送り込み予定の集積紙葉類と交差する位置にテープを位置させ、所定時期に集積紙葉類の周囲を旋回してテープを巻き付けるテープチャックと、テープ挟持位置のテープチャックに対しテープを供給するとともにテープを引き戻して集積紙葉類の周囲にテープを締め付けて緊縛するテープ供給路とを有していることを特徴とする紙葉類結束処理機。
【請求項２】
前記結束部は、テープをカットするテープカッタと、テープの切断端を熱接着する接着鏝とを更に有し、
前記テープ供給路の出口部、前記接着鏝、および前記テープカッタが集積紙葉類の移動経路の下方に配設されている請求項１に記載の紙葉類結束処理機。
【請求項３】
前記結束部の後段位置に、結束部の前記搬送手段により略水平姿勢のまま搬出される結束済みの紙葉類束を挟持して略水平方向の同方向に搬送する後段側搬送手段を備えている請求項１または２のいずれかに記載の紙葉類結束処理機。
【請求項４】
前記結束部の後段位置の後段側搬送手段設置域に、結束済みの紙葉類束のテープに押印を行う押印装置を具える押印部を設け、紙葉類の結束とテープへの押印とを併行して行えるようになされている請求項３に記載の紙葉類結束処理機。
【発明の詳細な説明】
【０００１】
【発明の属する技術分野】
本発明は、紙幣をはじめとする各種紙葉類を所定枚数ずつテープにより結束する紙葉類結束処理機に関する。
【０００２】
【従来の技術】
従来の紙葉類結束処理機として特許第２８４８８６３号の公報に記載のものが知られている。
【０００３】
この公報に記載のものは、集積部において一定枚数整列状態に集積された紙葉類を一対の挟持爪により挟持して結束部へ送り、その結束部でのテープによる結束動作中挟持爪により挟持状態を維持する一方、結束部ではテープを弛み状態で集積紙葉類に巻き付け、次いでテープを締め付けて緊縛するが、その締め付け時にテープの両側部をガイドする左右のクランプ部材がテープの幅方向両側の紙葉類の表裏両面から挟持して結束を行うようになっている。
【０００４】
その後テープカットおよび熱接着が行われ、挟持爪およびクランプ部材の開放動作で結束済み紙葉類束の挟持を解き、紙葉類束を結束部の下方へ自重落下させて回収を図るものである。
【０００５】
【発明が解決しようとする課題】
ところで近時、上下方向に集積された紙葉類を略水平方向へ移動させて結束部へ送り、結束部において水平姿勢のままテープにより結束を行い、結束済みの紙葉類束を水平方向に送出するような紙葉類結束処理機の要望が起きている。
【０００６】
しかしてこの要望に応えるべく前述の公報に示される結束機を横向きにして対応した場合、集積紙葉類を水平方向として結束部へ送り込むことができ、結束部においても集積紙葉類を水平姿勢として結束することは可能であるが、挟持爪およびクランプ部材の結束済み紙葉類束の開放時にこれら一対からなる挟持爪およびクランプ部材のうち下側になる挟持爪およびクランプ部材に紙葉類束が当りながら下方へ落下することになる。それ故、上記公報に記載の結束機を横向きに配置を変えても前記要望に応えることは不可であった。
【０００７】
一方、結束後にテープに押印を行える構成の結束処理機とするとき、前記公報に記載のものでは結束動作の終了工程時に押印を行うことになるため、次の結束動作に移行するまでに時間が掛るという問題点がある。
【０００８】
本発明はこれに鑑み、集積紙葉類を水平方向に移送させてテープによる結束処理を行うことができ、結束後紙葉類束を略水平姿勢のまま後段へ搬出することができる紙葉類結束処理機を提供することにある。
【０００９】
また結束後テープに押印を要するときは、結束動作とかかわりなく押印処理を併行して実施することができ、タイムロスをなくすることを可能とする紙葉類結束処理機を提供することにある。
【００１０】
【課題を解決するための手段】
上記課題を解決する手段として請求項１に記載の発明は、整列状態に集積された集積紙葉類を整列集積状態のまま後段側へ搬送して結束部へ送り込み、この結束部で集積紙葉類の周囲にテープを巻き付けて結束し、結束済みの紙葉類束を送出して後段側へ送り出す紙葉類結束処理機であって、整列集積された集積紙葉類を結束部に対向する位置から略水平姿勢で上下より挟持した状態で結束部へ送り込む搬送送り込み部と、送り込まれた集積紙葉類の周囲にテープを巻回するテープ巻き付け手段と、結束済みの紙葉類束を後段側へ搬出する搬送手段とを有する結束部とを備え、前記結束部の搬送手段は、下流側を中心として上流側の端部が上下方向に揺動自在となることで開閉位置に位置づけ可能となり、前記搬送送り込み部により略水平姿勢の挟持状態で送り込まれる集積紙葉類を、前記上流側の端部が閉位置となることで略水平姿勢のまま上下より静止したベルト又はローラによって挟持して結束終了時まで略水平姿勢の挟持状態を維持するとともに、結束終了時に該ベルト又は該ローラを駆動して結束済みの紙葉類束を略水平姿勢のまま後段側へ搬出し、前記搬送送り込み部は、集積紙葉類の挟持開始位置においてその集積紙葉類を挟持したあと移動を開始し、結束部に対向する位置においては集積紙葉類を略水平姿勢の挟持保持状態とするとともにその位置から集積紙葉類を略水平姿勢を保ちながら結束部まで移動させ、結束部の搬送手段が集積紙葉類を挟持したあと集積紙葉類の開放、挟持開始位置への復帰移動を行う上下一対の挟持部材を有し、前記テープ巻き付け手段は、テープ先端をテープ挟持位置において挟持するとともに前記搬送送り込み部による集積紙葉類の送り込み前に送り込み予定の集積紙葉類と交差する位置にテープを位置させ、所定時期に集積紙葉類の周囲を旋回してテープを巻き付けるテープチャックと、テープ挟持位置のテープチャックに対しテープを供給するとともにテープを引き戻して集積紙葉類の周囲にテープを締め付けて緊縛するテープ供給路とを有していることを特徴とする。
【００１１】
こうしたことにより、結束部の搬送手段は、搬送送り込み部により略水平姿勢の挟持状態で送り込まれる集積紙葉類を略水平姿勢のまま上下より挟持し、結束終了時まで略水平姿勢の挟持状態を維持するとともに結束終了時に駆動されて結束済みの紙葉類束を送り出すので、集積紙葉類の集積状態が崩れることなく略水平姿勢のまま確実に結束部へ送り込まれて結束され、また略水平姿勢のまま確実に後段側へ搬出される。
【００１２】
また、このような構成によって、略水平姿勢での集積紙葉類の送り込みと、略水平姿勢での結束、結束済みの紙葉類束の略水平姿勢での搬出がより確実なものにすることができる。
【００１３】
請求項２に記載の発明は、前記請求項１において、前記結束部は、テープをカットするテープカッタと、テープの切断端を熱接着する接着鏝とを更に有し、前記テープ供給路の出口部、前記接着鏝、および前記テープカッタを集積紙葉類の移動経路の下方に配設したものであり、これにより結束部の搬送手段の保守点検をやり易いものとすることができる。
【００１４】
請求項３に記載の発明は、請求項１または２のいずれかにおいて、前記結束部の後段位置に、結束部の前記搬送手段により略水平姿勢のまま搬出される結束済みの紙葉類束を挟持して略水平方向の同方向に搬送する後段側搬送手段を設けたことにある。
【００１５】
これにより結束部から略水平姿勢で搬出された結束済みの紙葉類束を後段位置において後段側搬送手段によりさらに後段へ略水平姿勢で送ることができ、後段での処理がし易いという効果をもたらす。
【００１６】
請求項４に記載の発明は、前記請求項３において、前記結束部の後段位置の後段側搬送手段設置域に結束済みの紙葉類束のテープに押印を行う押印装置を具える押印部を設けたことにある。
【００１７】
こうしたことにより、集積紙葉類の結束とテープへの押印とを併行して行なえ、押印を必要とする機種であっても作業性を損なうことなく実現することができる。
【００１８】
【発明の実施の形態】
以下、本発明による紙葉類結束処理機を図面に示す実施の形態を参照して説明する。
【００１９】
図１は、その右側側面図であり、左方が前面、右方が背面となる。そして紙葉類として紙幣を取り扱う場合を示し、押印装置を具えた場合の全体構成の概要を示すもので、集積紙幣Ｐの搬送送り込み部１と、結束部２と、押印部３とが水平方向の搬送ラインＬにそって順次配設され、この搬送ラインＬの下方部にテープ供給部４、テープカッタ５、接着鏝６がそれぞれ配設される。なおテープカッタ５および接着鏝６の作動機構は前述の特許公報に記載のような周知技術を採用するのでその詳細図示は省略する。
【００２０】
前記搬送送り込み部１は、図２にその一例の概要を示すように、上下対をなして設置されるスタッカ７，７間に所定枚数整列状態に集積された集積紙幣Ｐを図示しない作動機構により作動されて上下から挟持して図２（Ａ）→（Ｂ）→（Ｃ）→（Ｄ）の順に移動する上下一対の挟持部材８，８を有し、この挟持部材８，８間に集積紙幣Ｐを挟持して結束部２へ前記搬送ラインＬにそって送り込むようになっている。
【００２１】
上記挟持部材８は３本の挟持爪８ａ、８ｂ、８ｃを有し、このうち１本の挟持爪８ｃは軸９を支点として集積紙幣Ｐから離間する方向へ回動退避可能とされており、集積紙幣ＰへのテープＴの巻き付けに支障がないように形成されている。
【００２２】
なお前記スタッカ７，７には、前記挟持部材８，８の挟持爪８ａ，８ｂ，８ｃが嵌入し得る切欠７ａ，７ｂ，７ｃが形成されている。
【００２３】
前記結束部２は、集積紙幣Ｐの前記挟持部材８，８の固定の挟持爪８ａ，８ｂで挟持される以外の側方へ突出する部分ＰａにテープＴを巻回するためのテープ巻き付け手段１０と、上下一対からなるベルト１１Ａ，１１Ｂで構成される搬送手段１１と、上下一対からなりテープＴの巻き締め時にテープＴの横ずれを防止すると同時に集積紙幣Ｐを押圧して堅く巻き締めするためのクランプ部材１２，１２と、前述のテープカッタ６および接着鏝６とを具えている。
【００２４】
前記テープ巻き付け手段１０は、軸１３を中心に図１において時計方向に旋回動する旋回アーム１４と、この旋回アーム１４の先端に設けられテープＴの先端を挟持する開閉動自在なチャック１５と、テープ供給部４とで構成されている。
【００２５】
このチャック１５は、前記テープ供給部４のテープリール１６から引き出されるテープＴをガイドし正逆駆動するテープ供給ローラ１７，１７を有するテープ供給路１８の出口端に対向した位置にあるときがテープ挟持位置イ（図１示）とされ、その位置イから略１８０°旋回移動して搬送ラインＬより集積紙幣Ｐの厚み以上の上方位置にテープＴを挟持した状態でおかれるときが結束待機位置ロ（図５示）とされる。
【００２６】
前記搬送手段１１を構成する上下のベルト１１Ａ，１１Ｂは、図示の実施形態では上下とも２本ずつのベルトで構成され、図３に示しているように集積紙幣Ｐの長手方向一半部に対応する位置に設けられる。
【００２７】
これらのベルト１１Ａ，１１Ｂは、図３、図４に示すように枠体１９，１９に軸支されたプーリー２０，２１に巻回され、下流側のプーリー２０，２０の軸２２，２２を中心に上流側が上下方向に揺動されるようになっており、この下流側のプーリー軸２２，２２にモータＭ１，Ｍ１からベルト２３，２３等の伝導手段を介して回転が伝達されるようになっている。
【００２８】
なお下部のベルト１１Ｂの下流側の上面は前記搬送ラインＬと同一レベルにおかれ、上部のベルト１１Ａの下流側の下面は前記下部のベルト１１Ｂの上面との間に集積紙幣Ｐを挟持状態に受け入れ得る間隔をおいて配設されている。なおまた集積紙幣Ｐの挟持は、ベルト１１Ａ，１１Ｂの弾性と、通常は位置固定であるが所定圧が加わるとバネ力に抗して上昇する上側の軸２２（下側の軸２２は位置固定）とを通じて行われる。
【００２９】
前記ベルト１１Ａ，１１Ｂの上下方向揺動機構は、図４に上部の枠体１９のみを例示するように、左右のベルトの枠体１９，１９の上部に跨って固着される支持部材１９ａの起立部分の上流端にピン２４が突設され、下流端が前記ベルト１１Ａの下流側の軸２２により揺動自在に支持されており、前記ピン２４にモータＭ２（パルスモータ）により揺動するレバー２５の先端が係合されていて、このモータＭ２の回動で枠体１９を実線図示の開位置と鎖線図示の閉位置とにわたって揺動させるようになっている。この揺動量は、前記レバー２５と共に回動する円板状の検知板２６の検知部２７１，２７２（切欠）をセンサＳが検知することによりモータＭ２の回転量を制御することによっている。なお２８は枠体１９を閉じ方向へ付勢するバネを示す。また下部のベルト１１Ｂの枠体１９に関しても上記の構成を上下反転させた形態として同様に構成される。
【００３０】
前記クランプ部材１２，１２は断面コ字状のクランプ部１２ａ，１２ａを有し、そのクランプ部１２ａ，１２ａの内のり幅ＡはテープＴの幅よりも若干広く形成されているとともに、集積紙幣Ｐにルーズに巻かれたテープＴの弛み部分を受容し得る空間１２ｂ，１２ｂを有している。
【００３１】
前記押印部３は前記結束部２の後流位置に設けられる。この押印部３には、ベルト１１Ａ，１１Ｂで水平方向に送られる紙幣束を略水平状態で受けとり、略水平方向に送る後段側の搬送手段としてのローラ２９，２９を有し、結束済みの紙幣束Ｐ’を搬送するこれらローラ２９，２９…の回転制御（ベルト１１Ａ，１１Ｂとは別のモータによる駆動）により紙幣束Ｐ’を所定の位置で停止させ、その際にテープＴの位置に対応する位置に押印装置３０が配設されている。
【００３２】
この押印装置３０による押印動作が済むと再度紙幣束Ｐ’はローラ２９，２９の回転で送られ、後流側の回収部（図示せず）へ送られる。なおこの後段位置では押印３を設けず、あるいは非作動としてローラ２９，２９…は搬送のみに使用するようにしてもよい。
【００３３】
次に上記実施形態の作用を図５〜図１２を参照して説明する。
【００３４】
図５は、集積紙幣Ｐを結束部２へ送り込む直前の状態を示し、先に結束された紙幣束Ｐ’は押印部３の押印位置へ至っている状態を示している。
【００３５】
この状態においては、テープ巻き付け手段１０のチャック１５が鎖線図示のテープ挟持位置イにおいてテープ供給ローラ１７，１７の回転により繰り出されるテープＴの先端を挟持したのち実線図示の待機位置ロに旋回移動している。この旋回移動時にはテープ供給ローラ１７，１７もその旋回動に合わせて正転駆動し、テープＴを繰り出す。
【００３６】
この状態で挟持部材８が矢印方向に進行して集積紙幣Ｐを結束部２の結束位置へ送り込む（図６示）。この送り込み途中では集積紙幣Ｐの送入方向先端はテープＴの弛み部分を押しながら進行し、テープＴとは異る幅方向の位置の進行方向先端は上下のベルト１１Ａ，１１Ｂの下流端近傍位置（結束位置に位置される集積紙幣Ｐの先端位置）に向けて進行する。
【００３７】
一方、前述の押印部３の位置に至っていた結束済みの紙幣束Ｐ’は、押印装置３０によりそのテープＴに押印がなされて搬送ローラ２９，２９の駆動により下流方向へ搬送され、回収部へスタックされる。
【００３８】
前記のようにして集積紙幣Ｐが結束部２の結束位置へ送り込まれたことを図示しない検知手段が検知すると、搬送手段１１の開閉用のモータＭ１，Ｍ１が駆動して枠体１９，１９を閉方向に回動させ、これにより上下のベルト１１Ａ，１１Ｂで集積紙幣Ｐを挟持すると同時に挟持部材８，８が上下に開いて集積紙幣Ｐの挟持を解き、図６に矢印で示すように初期位置へ戻されて次回の挟持に備える。
【００３９】
次いでテープ巻き付け手段１０の旋回アーム１４がさらに旋回してそのチャック１５が図７にハで示す巻回終端位置、すなわち集積紙幣Ｐの下面側の下流寄りの位置へ移動して停止する。このチャック１５の旋回移動中もテープ供給ローラ１７，１７が回動してテープＴを送り出し、テープＴと集積紙幣Ｐとの間に生じていた弛みを維持する。
【００４０】
その後クランプ部材１２，１２が集積紙幣Ｐを上下から挟持すべく移動し、そのクランプ部１２ａ，１２ａがルーズに巻かれているテープＴをその空間部１２ｂ、１２ｂ内に受容しつつ集積紙幣Ｐに圧接して挟持する（図８示）。
【００４１】
次いでテープ供給ローラ１７，１７が逆転駆動してテープＴを引き戻し、集積紙幣Ｐの周囲に密着させて緊縛する。このとき弛んでいたテープＴは前述のクランプ部材１２，１２のクランプ部１２ａ，１２ａによりテープＴの横ずれが防がれ、正規の位置で緊縛される。この間、搬送手段１１の上下ベルト１１Ａ，１１Ｂは集積紙幣Ｐを挟持した状態を保っているが、図８以降図１０ではベルト１１Ａ，１１Ｂの図示を省略してある。
【００４２】
上記のようにしてテープ供給ローラ１７，１７がテープＴの巻き締めに必要な所定時間逆転したのち停止し、次いで図９のようにテープカッタ５が進出してテープＴを切断する。切断後テープカッタ５は元位置へ戻るとともにテープ供給ローラ１７，１７が逆転して切断後のテープＴをその切断端がテープ供給路１８の出口端の位置に至るまで引き戻す。
【００４３】
一方、テープカッタ５の進出に合わせて接着鏝６もテープＴに向けて進出しており、テープカッタ５によるテープＴの切断と略同時に接着鏝６がテープＴの巻き付け端を熱接着する。接着終了後接着鏝６は図１０の一点鎖線図示のように元位置に復帰する。
【００４４】
上記の熱接着が終了すると、テープ巻き付け手段１０のチャック１５がテープＴの挟持を解き、紙面に対し裏面方向へ退去し、次回の結束開始までその位置（図１２の実線図示位置に同じ）に待機する。またクランプ部材１２，１２もそれぞれ上下方向へ移動して退去する（図１１示）。
【００４５】
上記結束動作が終了したのちも搬送手段１１の上下のベルト１１Ａ，１１Ｂは閉位置におかれて結束済みの紙幣束Ｐ’を挟持した状態を維持しており、押印部３の位置に紙幣束Ｐ’が存在しないことの確認信号に基づいて搬送手段１１の駆動用モータＭ１，Ｍ１が回動し、同時に押印部３の搬送ローラ２９，２９が駆動して結束済みの紙幣束Ｐ’を結束部２から押印部３へ移送し、その押印装置３０の位置にテープＴが位置したとき搬送が停止する。そこで押印装置３０が作動して紙幣束Ｐ’のテープＴに所定の押印がなされる。
【００４６】
押印終了後、搬送ローラ２９，２９が再起動して、押印済みの紙幣束Ｐ’を水平方向に搬送して回収部へ送り込んでスタックする一方、搬送手段１１の開閉用のモータＭ２が駆動してそのレバー２５により枠体１９の上流側を押動し、上下のベルト１１Ａ，１１Ｂの上流端側を図１１に鎖線で示すように開放させ、初期の状態に復帰させる。
【００４７】
またテープ巻き付け手段１０の旋回アーム１４は、結束部２に集積紙幣Ｐがなくなると、図１２の実線図示の位置において紙面の表面側へ進出し、次いで逆転して鎖線図示のテープ挟持位置イへ至り、次回の結束に備える（図５の状態）。
【００４８】
本実施形態においては、紙葉類として紙幣の場合を例示したが、紙幣以外の紙葉類（小切手、手形、伝票類）に対しても同様に適用し得ることはもちろんである。
【００４９】
また集積紙葉類の搬送送り込み部１の構成は必ずしも図示の形態に限られるものではなく、他の手段であってもよい。さらに搬送手段１１についても、上下のベルト１１Ａ，１１Ｂの双方を揺動させる構成とした場合について示したが、一方のベルトは位置固定とし、他方のみを開閉させるようにしてもよい。そして搬送手段１１を構成する要素として、ベルト以外にローラ列を用いたもの、ベルトとローラとを組み合わせたもののいずれであっても実施可能である。
【００５０】
また後段側搬送手段に相当するローラ２９，２９…に関しても同様にベルト、ベルトとローラとの組み合わせのいずれであってもよい。
【００５１】
一方、テープカッタ５によるテープ切断時期と、接着鏝６によるテープ熱接着の時期についても、テープカッタ５によるテープ切断後に接着鏝６による熱接着を行う場合のほかに、接着鏝６による熱接着の開始時期をテープカッタ５によるテープ切断時期より早い場合、またはテープカッタ５によるテープ切断時期と接着鏝６による熱接着の開始時期とが同時の場合があるが、そのいずれを選択してもよい。
【００５２】
前述の搬送送り込み部１は、その移動ストロークの全区間において同一高さ位置を水平移動するが、この搬送送り込み部１による集積紙葉類の受け取り位置（図２（Ａ）および（Ｂ））は図１の搬送送り込み部１の高さ位置より上方位置とし、集積紙葉類受け取り後、水平状態で図２（Ｂ）の位置へ至ったとき下方へ移動して図１に示す位置に位置させるようにしてもよい。
【００５３】
また図２（Ａ），（Ｂ），（Ｃ）における位置を略同一の水平位置とし、図２（Ｃ）において搬送送り込み部１を上下方向に移動させて図１に示す高さ位置に位置させるようにしてもよい。
【００５５】
したがって本発明でいう「搬送送り込み部１の結束部２に対向する位置」とは図２（Ｃ）位置でかつ図１に示す位置である。
【００５６】
【発明の効果】
以上説明したように請求項１記載の発明によれば、集積紙葉類の結束部に搬送手段を設け、この搬送手段は、搬送送り込み部により略水平姿勢の挟持状態で送り込まれる集積紙葉類を略水平姿勢のまま上下より挟持して結束終了時まで略水平姿勢の挟持状態を維持するとともに結束終了時に駆動して結束済みの紙葉類束を送り出すようにしたので、集積紙葉類の集積状態が崩れることなく略水平姿勢のまま確実に結束部へ送り込んで結束を行うことができ、また略水平姿勢のまま確実に後段側へ搬出させることができる効果を奏する。また、略水平姿勢での集積紙葉類の送り込みと、略水平姿勢での結束、結束済みの紙葉類束の略水平姿勢での搬出がより確実に行えるという効果を有する。
【００５８】
請求項２記載の発明によれば、テープ供給路の出口部、接着鏝、およびテープカッタを集積紙葉類の移動経路の下方に配設したことにより、結束部の搬送手段の保守点検がやり易いという効果を生む。
【００５９】
請求項３記載の発明によれば、結束部から略水平姿勢で搬送された結束済みの紙葉類束を結束部の後段位置において後段側搬送手段によりさらに後段へ略水平姿勢で送ることができ、後段での処理がやり易いという効果がある。
【００６０】
請求項４記載の発明によれば、前記後段側搬送手段の設置域に結束済みの紙葉類のテープに押印を行う押印装置を具える押印部を設けたことにより、紙葉類の結束とテープへの押印とを併行して行なえ、押印を必要とする機種であっても作業性を損なうことなく実現することができる効果がある。
【図面の簡単な説明】
【図１】本発明による紙葉類結束処理機の一実施形態の概要を示す右側面図。
【図２】図１の集積紙葉類の搬送送り込み部の一例を示し、（Ａ）はスタッカに集積された集積紙葉類を挟持した状態、（Ｂ）は挟持してスタッカから引き出した状態、（Ｃ）は送り込み位置へ移動した状態、（Ｄ）は結束部へ送り込んだ状態を示す各平面図。
【図３】本発明による紙葉類結束処理機の一実施形態の背面を示し、図１の右側よりみた図。
【図４】図３における搬送手段の開閉機構の一例を示す説明図で、図３の左側よりみた図。
【図５】図１の実施形態の作用を示し、結束前の状態を示す説明図。
【図６】同、集積紙葉類を結束部へ送り込んだ状態時の説明図。
【図７】同、搬送手段が集積紙葉類を挟持した状態時の説明図。
【図８】同、クランプ部材でクランプした状態時の説明図。
【図９】同、テープを巻き締めた状態時の説明図。
【図１０】同、テープを切断し、熱接着が終了した状態時の説明図。
【図１１】同、結束済みの紙葉類束を結束部から押印部へ送り出す状態時の説明図。
【図１２】同、結束動作完了時の状態を示す説明図。
【符号の説明】
１  搬送送り込み部
２  結束部
３  押印部
４  テープ供給部
５  テープカッタ
６  接着鏝
８  挟持部材
１０  テープ巻き付け手段
１１  搬送手段
１２  クランプ部材
１５  チャック
１８  テープ供給路
３０  押印装置
Ｐ  集積紙幣
Ｐ’  結束済みの紙幣束
【図１】
0004651904.tif 000002
【図２】
0004651904.tif 000003
【図３】
0004651904.tif 000004
【図４】
0004651904.tif 000005
【図５】
0004651904.tif 000006
【図６】
0004651904.tif 000007
【図７】
0004651904.tif 000008
【図８】
0004651904.tif 000009
【図９】
0004651904.tif 000010
【図１０】
0004651904.tif 000011
【図１１】
0004651904.tif 000012
【図１２】
0004651904.tif 000013